(57)【要約】【課題】コイルばねの一端を支持することなく、当金のみに係合してねじアップ端子機能を発揮できる電気機器の端子装置を提供する。【解決手段】当金を装着した雄ねじ部を有する端子ねじ４１と、この端子ねじが螺合される端子板４２と、少なくとも端子ねじが端子板から離間するときから当金を端子板に対して進退自在に案内し、且つ端子ねじ保持位置で当金の抜け出しを防止する案内保持部４３と、この案内保持部の一側部に形成されたばね配置部内に配置されたコイルばね４５と、を備え、コイルばねは、コイル部４５ａ，４５ｂと、該コイル部の一端側から延長し、前記案内部に対向する側面に前記雄ねじ部に沿って接する第１端部４５ｃ，４５ｅと、前記コイル部の他端側から延長し、前記端子ねじが前記端子ねじ保持位置にある状態で、当金の端子板との対向面における雄ねじ部から外れた側方部に接する第２端部４５ｄ，４５ｆとを備えている。【選択図】図４
2018160358.tif 000002
【特許請求の範囲】
【請求項１】
当金を装着した雄ねじ部を有する端子ねじと、
該端子ねじが螺合される端子板と、
少なくとも前記端子ねじが前記端子板から離間するときから前記当金を前記端子板に対して進退自在に案内し、且つ端子ねじ保持位置で当該当金の抜け出しを防止する案内保持部と、
該案内保持部の一側部に形成されたばね装着部内に配置されたコイルばねと、を備え、
前記コイルばねは、コイル部と、該コイル部の一端側から延長し、前記案内保持部に対向する側面に前記雄ねじ部に沿って接する第１端部と、前記コイル部の他端側から延長し、前記端子ねじが前記端子ねじ保持位置にある状態で、前記当金の前記端子板との対向面における前記雄ねじ部から外れた側方部に接する第２端部とを備えている電気機器の端子装置。
【請求項２】
前記コイルばねは、前記端子ねじの雄ねじ部を挟んで、一対設けられている請求項１に記載の電気機器の端子装置。
【請求項３】
一対設けられたコイルばねは、前記第１端部同士が連結されている請求項２に記載の電気機器の端子装置。
【請求項４】
前記コイル部は、前記端子ねじが前記端子ねじ保持位置から前記雄ねじ部が前記端子板に螺合する方向に向かうときに巻き締め方向となるように前記第１端部及び第２端部が接続されている請求項１から３の何れか一項に記載の電気機器の端子装置。
【請求項５】
前記ばね装着部は、前記コイルばねのコイル部を収納する収納部を備えている請求項１から４の何れか一項に記載の電気機器の端子装置。
【請求項６】
前記第２端部の先端には、前記雄ねじ部から離れる方向に折り曲げた棒部が形成されている請求項１から５の何れか一項に記載の電気機器の端子装置。
【発明の詳細な説明】
【技術分野】
【０００１】
本発明は、接続導体を接続する電気機器の端子装置に関する。
【背景技術】
【０００２】
操作スイッチ、表示灯などの電気機器は、接続導体を接続する端子装置を備えている。この端子装置としては、接続導体の接続を容易にするためばね力を利用して端子ねじを押し上げる所謂ねじアップ端子が適用されている。
このねじアップ端子としては、例えば特許文献１に記載されたものが提案されている。
特許文献１に記載されたねじアップ端子は、端子カバーに、保持部とこれに連接する絶縁部とで断面Ｌ字状に形成し、保持部に対向して端子ねじを螺合させる端子板が配置され、端子ねじには、雄ねじ部と、ドライバー溝を有する頭部と、雄ねじ部及び頭部の間に連設され接続導体を締付ける当金を遊嵌させた首部とで構成され、当金は当金本体と表示片とから側面視略Ｌ字状に形成されている。そして、絶縁部の保持部側内面に捩じりコイルばねを装着する。この捩じりコイルばねは、一端が絶縁部に保持され、他端が端子ねじの当金及び表示部に係合するように配置されている。
【０００３】
すなわち、捩じりコイルばねの他端は、端子ねじを接続導体の端子部を通じて端子板に螺合させた状態では表示部の側面に係合し、この状態から端子ねじを端子板から緩めることにより、当金及び表示部が上昇すると表示部の側面から当金の下面に係合することになり、端子ねじの頭部を保持部に当接させた状態で保持する。
【先行技術文献】
【特許文献】
【０００４】
【特許文献１】実開平６−６８３１２号公報
【発明の概要】
【発明が解決しようとする課題】
【０００５】
ところで、特許文献１に記載された端子装置にあっては、端子ねじが端子板より抜け出すタイミングで捩じりコイルばねの他端が当金の底面に係合して、端子ねじの頭部を保持部に当接させた状態で保持することができ、ねじアップ端子として作用する。しかしながら、特許文献１に記載された端子装置では、捩じりコイルばねの一端を絶縁部に固定支持する必要があるという課題がある。しかも、端子ねじを接続導体の端子を通じて端子板に締付けた状態では、捩じりコイルばねの他端が端子ねじの頭部側に係合しないように表示部で受ける必要があり、表示部を設けない場合には適用することができないという課題がある。
そこで、本発明は、上記特許文献１に記載された先行技術の課題に着目してなされたものであり、コイルばねの一端を支持することなく、当金のみに係合してねじアップ端子機能を発揮できる電気機器の端子装置を提供することを目的としている。
【課題を解決するための手段】
【０００６】
上記目的を達成するために、本発明の一態様に係る電気機器の端子装置は、当金を装着した雄ねじ部を有する端子ねじと、この端子ねじが螺合される端子板と、少なくとも端子ねじが端子板から離間するときから当金を端子板に対して進退自在に案内し、且つ端子ねじ保持位置で当金の抜け出しを防止する案内保持部と、この案内保持部の一側部に形成されたばね配置部内に配置されたコイルばねと、を備え、コイルばねは、コイル部と、該コイル部の一端側から延長し、前記案内部に対向する側面に前記雄ねじ部に沿って接する第１端部と、前記コイル部の他端側から延長し、前記端子ねじが前記端子ねじ保持位置にある状態で、当金の端子板との対向面における雄ねじ部から外れた側方部に接する第２端部とを備えている。
【発明の効果】
【０００７】
本発明の一態様によれば、端子ねじを端子ねじ保持位置で保持するコイルばねの第２端部を雄ねじ部から外れた側方部に接するように配置することで、第２端部の長さを長く設定することが可能となり、端子ねじの端子ねじ保持位置から接続導体接続位置に達するまでの間で第２端部を当金に当接させることができる。このため、コイルばねを支持する支持部を設ける必要がなく、端子装置を簡易な構成とすることができる。
【図面の簡単な説明】
【０００８】
【図１】本発明の一実施形態に係る端子装置をその一側面を切り欠いて示す斜視図である。
【図２】図１の端子装置の接続導体の端子を挿入した状態を示す斜視図である。
【図３】図１の端子装置の接続導体を固定した状態を示す斜視図である。
【図４】端子装置を示す拡大断面図である。
【図５】端子装置への接続導体の接続動作を示す拡大断面図である。
【図６】コイルばねを示す斜視図である。
【発明を実施するための形態】
【０００９】
次に、図面を参照して、本発明の一実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１０】
また、以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
以下、本発明に係る端子装置を操作スイッチに適用した場合の一実施形態について説明する。
操作スイッチ１は、図１に示すように、操作部２と、連結用ベース３と、接点部４とを備えている。
【００１１】
操作部２は、接点部４の接点を開閉操作するものであり、操作部本体１１と押しボタン１２と取付ナット１３とを備えている。操作部本体１１は、押しボタン１２を摺動可能に支持する円筒状の頭部１１ａとこの頭部１１ａから押しボタン１２とは反対側に突出する連結用胴部１１ｂとを備えている。連結用胴部１１ｂには、頭部１１ａ側に雄ねじ部１１ｃが形成され、この雄ねじ部１１ｃに取付ナット１３が螺合されている。連結用胴部１１ｂを図示しない取付パネルに形成した貫通孔内に挿通し、取付パネルから突出した端部に連結用ベース３を装着した状態で、取付ナット１３を回動させて取付パネル側に接触させることにより、操作スイッチ１を取付パネルに固定することができる。
【００１２】
連結用ベース３は、操作部２及び接点部４間を連結するものであり、操作部２の胴部１１ｂに着脱可能に装着され、操作部２とは反対側に接点部４が装着される。
接点部４は、内部に開閉接点機構を有する３個の接点ユニット５Ａ、５Ｂ及び５Ｃを備えている。この場合、接点ユニットは必ずしも３個設ける必要はなく、使用目的に応じて１個〜３個の接点ユニットを使用することができる。
【００１３】
接点ユニット５Ａ〜５Ｃのそれぞれは、同一構造を有するので、接点ユニット５Ａを代表として内部構造を説明する。
接点ユニット５Ａは、図２及び図３に示すように、連結用ベース３に装着される接点フレーム２１と、この接点フレーム２１の連結用ベース３とは反対側に装着される接点ケース２２とを備えている。
【００１４】
接点フレーム２１は、中央部に可動接触子２３を保持し、操作部２の押しボタン１２と連動する可動接点ホルダ２４を左右に摺動可能に保持している。
接点ケース２２には、可動接触子２３に対向して上下方向に所定距離と離れて配置された一対の固定接触子２５ａ及び２５ｂと、これら固定接触子２５ａ及び２５ｂに連結された２６Ａ及び２６Ｂとを備えている。一対の固定接触子２５ａ及び２５ｂと、可動接触子２３とで接点機構２７が構成されている。本実施形態では、押しボタン１２を押圧していない状態で、可動接触子２３が固定接触子２５ａ及び２５ｂから離間しているａ接点（常開接点）の構成を有するが、押しボタン１２を押圧していない状態で、可動接触子２３が固定接触子２５ａ及び２５ｂに接触しているｂ接点（常閉接点）の構成とすることもできる。
【００１５】
端子装置２６Ａ及び２６Ｂは、図２及び図５に示す外部の接続導体としての接続ケーブル３１の先端に取付けられた接続端子３２を接続するためのものであり、ねじアップ端子の構成を有する。
これら端子装置２６Ａ及び２６Ｂは、互いに面対称に構成されているので、端子装置２６Ａについて構成を説明する。この端子装置２６Ａは、図４で拡大図示するように、端子ねじ４１と、端子板４２と、案内保持部４３と、ばね装着部４４と、捩じりコイルばね４５とを備えている。
【００１６】
端子ねじ４１は、頭部４１ａとこの頭部４１ａに一体に連結された雄ねじ部４１ｂと、雄ねじ部４１ｂの頭部４１ａ側に装着された皿ばね４１ｃ及び当金４１ｄとを備えている。当金４１ｄは、接続端子３２を締付けるためのものであり、雄ねじ部４１ｂの頭部４１ａ側に抜け落ちることなく嵌合されている。
端子板４２は、方形の板状に形成され、一端が固定接触子２５ａに一体に連結され、他端が例えば９０度折り曲げられて接点フレーム２１に形成された支持凹部２１ａ内に嵌合保持されて、板面が左下方に傾斜されている。この端子板４２には、端子ねじ４１の雄ねじ部４１ｂが螺合する雌ねじ部４２ａが形成されている。そして、端子板４２の延長線状の接点ケース２２に接続ケーブル３１の接続端子３２を挿通する挿通孔２２ａが形成されている。
【００１７】
案内保持部４３は、接点ケース２２の端子板４２の右表面に対して直角方向に右端部側に延長して形成されており、端子ねじ４１の当金４１ｄを端子板４２に対して直角方向に進退自在に案内する。
この案内保持部４３は、接点ケース２２の挿通孔２２ａを形成した下側面部２２ｂの内面に右斜め下方に端子板４２に対して直角方向に延長して形成した側壁４３ａと、接点ケース２２の接点機構２７と分離する隔壁２２ｃと一体に形成された隔壁２２ｃの左端から右下方向に斜めに端子板４２に対して直角方向に延長する側壁４３ｂとを有する。
【００１８】
ここで、側壁４３ａは、端子板４２側の端部が挿通孔２２ａの開口部まで形成されている。側壁４３ａの端子板４２側とは反対側の端部には当金４１ｄが当接するストッパ片４３ｃが配置されている。一方、隔壁２２ｃ及び側壁４３ｂ間には、ばね装着部４４が形成されている。
このばね装着部４４は、隔壁２２ｃと平行な上側壁４４ａと、この上側壁４４ａの隔壁２２ｃの左端側に下方に突出する突出部４４ｂと、側壁４３ｂに設けた開口部４４ｃと、この開口部４４ｃの右端側から上側壁４４ａと平行に延長する下側壁４４ｄと、この下側壁４４ｄから上側壁４４ａ側に突出する突出部４４ｅとで略三角形状に形成されている。
【００１９】
ここで、開口部４４ｃの前後方向（すなわち図４で紙面と直交する方向）の幅は後述する捩じりコイルばね４５の第２端部４５ｄ及び４５ｆを挿通可能な長さとされ、端子ねじ４１の当金４１ｄの前後方向の幅より狭くされている。したがって、側壁４３ｂは、開口部４４ｃの位置でも端子ねじ４１の当金４１ｄを端子板４２に対して進退自在に案内することができる。
【００２０】
このばね装着部４４に捩じりコイルばね４５が装着されている。この捩じりコイルばね４５は、図６に示すように、前後方向の直線上に所定間隔離して配置された一対のコイル部４５ａ及び４５ｂを有する。コイル部４５ａは左巻きとされ、コイル部４５ｂは右巻きとされている。
コイル部４５ａには、内側端から接線方向に左方に延長する第１端部４５ｃと、コイル部４５ａの外側端から下方に延長する第２端部４５ｄとが形成されている。第２端部４５ｄは、コイル部４５ａの外側端から一旦接線方向に左方に延長する棒部４５ｄ１と、この棒部４５ｄ１の先端から９０度折り曲げて下方に延長する棒部４５ｄ２と、この棒部４５ｄ２の下端から僅かに左方に折り曲げて斜め下方に延長する棒部４５ｄ３と、この棒部４５ｄ３の下端から９０度折り曲げて端子ねじ４１の雄ねじ部４１ｂから離れる方向すなわち前方に延長する棒部４５ｄ４とで構成されている。
【００２１】
コイル部４５ｂには、内側端から左方に延長する第１端部４５ｅと、コイル部４５ｂの外側端から下方に延長する第２端部４５ｆとが形成されている。第２端部４５ｆは、コイル部４５ｂの外側端から一旦接線方向に左方に延長する棒部４５ｆ１と、この棒部４５ｆ１の先端から９０度折り曲げて下方に延長する棒部４５ｆ２と、この棒部４５ｆ２の下端から僅かに左方に折り曲げて斜め下方に延長する棒部４５ｆ３と、この棒部４５ｆ３の下端から９０度折り曲げて後方に延長する棒部４５ｆ４とで構成されている。
【００２２】
そして、第１端部４５ｃ及び第１端部４５ｅの左端部間が連結部４５ｇで連結されて一体化されて、２つのコイル部４５ａ及び４５ｂを有する捩じりコイルばね４５が形成されている。ここで、第２端部４５ｄ及び４５ｆ間の間隔は、端子ねじ４１の雄ねじ部４１ｂの外径より大きく、当金４１ｄの幅より狭くなるように設定されている。
この捩じりコイルばね４５は、負荷が掛かっていない状態で、図５に示すように、第１端部４５ｃ及び４５ｅに対して第２端部４５ｄの棒部４５ｄ２及び第２端部４５ｆの棒部４５ｆ２が略９０度となるように設定されている。
【００２３】
この捩じりコイルばね４５は、ばね装着部４４にコイル部４５ａ及び４５ｂを、上側壁４４ａ、下側壁４４ｄ及び突出部４４ｅで囲まれる空間に挿入し、第１端部４５ｃ及び４５ｅを上側壁４４ａに接触させ、第２端部４５ｄ及び４５ｆを、開口部４４ｃを通じて案内保持部４３側に突出させている。
そして、捩じりコイルばね４５の第２端部４５ｄ及び４５ｆは、端子ねじ４１が端子板４２から離間し、且つ当金４１ｄが案内保持部４３のストッパ片４３ｃに当接している端子ねじ保持位置にある状態で、当金４１ｄの端子板４２との対向面に形成された前後方向に延長する突条４１ｅの雄ねじ部４１ｂを挟む前後位置に接触されている。この状態では、捩じりコイルばね４５の第２端部４５ｄの前方に折り曲げられた棒部４５ｄ４と、第２端部４５ｆの後方に折り曲げられた棒部４５ｆ４とが当金４１ｄに形成された前後方向に延長する突条４１ｆに当接している。
【００２４】
次に、上記実施形態の動作について図５を伴って説明する。
先ず、図５（ａ）に示すように、端子ねじ４１が端子板４２から離間して捩じりコイルばね４５の第２端部４５ｄ及び４５ｆによって当金４１ｄが端子板４２から離れる方向に付勢されて当金４１ｄがストッパ片４３ｃに当接する端子ねじ保持位置にあるものとする。この端子ねじ保持位置では、端子ねじ４１の雄ねじ部４１ｂの先端と端子板４２との間に接続ケーブル３１の接続端子３２を挿通可能な隙間が形成されている。このとき、捩じりコイルばね４５の第２端部４５ｄ及び４５ｆが雄ねじ部４１ｂを前後で挟むように当金５１ｄに接触するので、当金５１ｄが傾くことなく端子板４２と平行な状態で保持される。
【００２５】
しかも、当金４１ｄの前後方向に延長する突条４１ｅに捩じりコイルばね４５の第２端部４５ｄの前方に折り曲げられた棒部４５ｄ４と第２端部４５ｆの後方に折り曲げられた棒部４５ｆ４が当接しているので、当金４１ｄをより安定に保持することができる。
この端子ねじ４１が端子ねじ保持位置にある状態で、図５（ａ）に示すように、接点ケース２２の挿通孔２２ａに左斜め下方から接続ケーブル３１の接続端子３２を対向させ、この姿勢を保って接続ケーブル３１の接続端子３２を右斜め上方に移動させる。これによって、接続端子３２が、挿通孔２２ａを通じて端子板４２と端子ねじ４１の雄ねじ部４１ｂの端部との間の隙間に挿通される。そして、接続端子３２に形成された貫通孔３２ａの中心が雄ねじ部４１ｂの中心と略一致する状態とする。
【００２６】
この接続ケーブル３１の接続端子３２の挿通状態で、図５（ｂ）に示すように、接点ケース２２の端子ねじ４１の頭部４１ａに対向する開口部２２ｄから例えばねじ回しを挿入して端子ねじ４１の頭部４１ａの係合溝に係合させてから端子ねじ４１を捩じりコイルばね４５の捩じり力に抗して端子板４２側に押し込み、雄ねじ部４１ｂを端子板４２の雌ねじ部４２ａに当接させる。このとき、捩じりコイルばね４５は、第２端部４５ｄ及び４５ｆがコイル部４５ａ及び４５ｂを中心として反時計方向に回動することになり、コイル部４５ａ及び４５ｂがそれぞれ巻き締められる。このため、コイル部４５ａ及び４５ｂのコイル径が短くなる。
【００２７】
この状態で、図５（ｃ）に示すように、ねじ回しを回転させて端子ねじ４１の雄ねじ部４１ｂを端子板４２の雌ねじ４２ａに螺合させ、当金４１ｄが接続ケーブル３１の接続端子３２に当接し、皿ばね４１ｃで端子ねじ４１を端子板４２から離れる方向の弾発力を発生させるように締付ける。これによって、端子ねじ４１の当金４１ｄ及び端子板４２間に接続ケーブル３１の接続端子３２を固定することができる。
【００２８】
このとき、端子ねじ４１の雄ねじ部４１ｂを端子板４２の雌ねじ部４２ａに螺合させることにより、端子ねじ４１の頭部４１ａが端子板４２側に移動し、これに伴って当金４１ｄも端子板４２側に移動する。このため、捩じりコイルばね４５の第２端部４５ｄ及び４５ｆは、先端の棒部４５１ｄ４及び４５ｆ４が当金４１ｄの端子板４２との対向面に形成された突条４１ｅに接触している状態から中間部の棒部４５ｄ２及び４２ｆ２が当金４１ｄの端部に接触する状態となり、最終的に、図５（ｃ）に示すように、棒部４５ｄ３及び４５ｄ４の接続部と棒部４５ｆ３及び４５ｆ４の接続部が当金４１ｄの上側面の角部に接触する状態となる。この場合も、捩じりコイルばね４５のコイル部４５ａ及び４５ｂは巻き締められてコイル径が最小となる。
【００２９】
このように、接続ケーブル３１の接続端子３２を端子ねじ４１の当金４１ｄと端子板４２とで挟持した状態で、捩じりコイルばね４５の第２端部４５ｄの棒部４５ｄ３及び４５ｄ４の連結部と第２端部４５ｆの棒部４５ｆ３及び４５ｆ４の連結部とが当金４１ｄの上側面の角部に接触している。また、接続ケーブル３１の接続端子３２の厚みが当金４１ｄの厚みより薄く設定されている。
【００３０】
このため、接続ケーブル３１の接続端子３２を挿入しない状態で、端子ねじ４１の雄ねじ部４１ｂを端子板４２の雌ねじ部４２ａに螺合させて当金４１ｄが端子板４２に直接接触する状態となっても、捩じりコイルばね４５の第２端部４５ｄの棒部４５ｄ４及び第２端部４５ｆの棒部４５ｆ４が当金４１ｄの上端部に接触することになり、捩じりコイルばね４５の第２端部４５ｄ及び４５ｆが当金４１ｄから外れることを防止できる。
【００３１】
この接続ケーブル３１の接続端子３２の固定状態から、接続ケーブル３１の接続端子３２を取り外すには、図５（ｃ）の状態で、ねじ回しで端子ねじ４１を反時計方向に回転させることにより、端子ねじ４１の頭部４１ａが端子板４２から離れる方向に移動する。このとき、当金４１ｄも頭部４１ａと同様に端子板４２から離れる方向に移動するので、捩じりコイルばね４５の第２端部４５ｄ及び４５ｆの棒部４５ｄ２及び４５ｆ２が当金４１ｄの上端の角部に接触しながら棒部４５ｄ３及び４５ｆ３が当金４１ｄの端子板４２との対向面内に対向することになる。
【００３２】
このため、図５（ｂ）に示すように、端子ねじ４１の雄ねじ部４１ｂが端子板４２の雌ねじ部４２ｄから離脱した状態で、捩じりコイルばね４５の第２端部４５ｄの棒部４５ｄ２及び４５ｄ３の連結部と第２端部４５ｆの棒部４５ｆ２及び４５ｆ３の連結部が当金４１ｄの突条４５ｅに接触している。したがって、この状態で、ねじ回しを端子ねじ４１の頭部４１ａから取り外すことにより、捩じりコイルばね４５の捩じり力によって当金４１ｄが端子板４２ら離れる方向に移動されて、端子ねじ４１が端子ねじ保持位置に復帰する。
【００３３】
このように、上記実施形態によると、端子ねじ４１が端子板４２から離間して当金４１ｄがストッパ片４３ｃに当接している端子ねじ保持位置にある状態で、捩じりコイルばね４５によって当金４１ｄの端子板４２との対向面を支持している。この捩じりコイルばね４５は２つのコイル部４５ａ，４５ｂと、各コイル部４５ａ及び４５ｂの一端に設けた第１端部４５ｃ及び４５ｅと他端に設けた第２端部４５ｄ及び４５ｆを有し、第１端部４５ｃ及び４５ｅがばね装着部４４の上側壁４４ａに接触され、第２端部４５ｄ及び４５ｆが端子ねじ４１の当金４１ｄの端子板４２との対向面に接触されている。
【００３４】
したがって、端子ねじ４１を端子板４２側に押し込んだり、端子板４２に螺合させたりしたときに、第２端部４５ｄ及び４５ｆが第１端部４５ｃ及び４５ｅ側に移動することにより、第１端部４５ｃ及び４５ｅを上側壁４４ａに押し付ける力が作用する。
このため、捩じりコイルばね４５が移動しないように支持部を設ける必要がなく、単に捩じりコイルばね４５をばね装着部４４に配置するだけで済み、別途支持部材を配置する必要がない。
【００３５】
しかも、捩じりコイルばね４５の第２端部４５ｄ及び４５ｆは、端子ねじ４１の雄ねじ部４１ｂから前後方向に外れか位置に設けられているので、雄ねじ部４１ｂの影響を受けることなく長さを長くすることができる。
このため、端子ねじ４１が端子ねじ保持位置から接続ケーブル３１の接続端子３２を固定する位置まで移動する間に、先端部の棒部４５ｄ４，４５ｆ４又は中央部の棒部４５ｄ２，４５ｆ２を端子ねじ４１の当金４１ｄに接触させることができ、別途第２端部４５ｄ及び４５ｆの回動を規制する部材を設ける必要がない。したがって、端子装置２６Ａ及び２６Ｂの構成を簡易化することができるとともに、小型化することができる。さらに、組立作業も容易となる。
【００３６】
また、捩じりコイルばね４５のコイル部４５ａ及び４５ｂが、端子ねじ４１が端子ねじ保持位置から端子板４２に向かって移動する際に、第２端部４５ｄ及び４５ｆの移動に伴って巻き締められるように巻回されている。このため、コイル部４５ａ及び４５ｂのコイル径が端子ねじ保持位置で最大径となり、端子ねじ４１が端子板４２に向かうに従いコイル径が小さくなる。したがって、ばね装着部４４のコイル部４５ａ及び４５ｂを収納する収納部の大きさを、コイル部４５ａ及び４５ｂが第２端部４５ｄ及び４５ｆの移動によって巻き広げられる場合に比較して小さくすることができる。
【００３７】
すなわち、コイル部４５ａ及び４５ｂを上記実施形態とは逆巻きとした場合には、第２端部４５ｄ及び４５ｆが第１端部４５ｃ及び４５ｅ側に移動するにしたがって、コイル径が増加することになり、第２端部４５ｄ及び４５ｆが第１端部４５ｃ及び４５ｅに一番接近したときのコイル径でコイル部の収納部の大きさを設計することになり、コイル部の収納部の大きさが大きくなる。
【００３８】
なお、上記実施形態においては、捩じりコイルばね４５として、２つのコイル部４５ａ及び４５ｂの第１端部４５ｃ及び４５ｅを連結部４５ｇで連結した場合について説明したが、これに限定されるものではなく、連結部４５ｇを中間部で分割して２つの捩じりコイルばねとし、これらをそれぞればね装着部４４に装着するようにしても、上記実施形態と同様の作用効果を得ることができる。
【００３９】
さらには、分割した捩じりコイルばねの一方を省略して、１つのコイル部を有する捩じりコイルばねで端子ねじ４１の当金４１ｄを支持するようにしてしてもよい。
また、上記実施形態では、コイル部４５ａ及び４５ｂが巻き締め方向となる場合について説明したが、これに限定されるものではなく、コイル部４５ａ及び４５ｂを巻き広げ方向とすることもできる。
【００４０】
また、上記実施形態では、２つのコイル部４５ａ及び４５ｂの内側を第１端部４５ｃ及び４５ｅとし、外側を第２端部４５ｄ及び４５ｆとした場合について説明したが、これに限定されるものではなく、コイル部４５ａ及び４５ｂの外側を第１端部４５ｃ及び４５ｅとし、内側を第２端部４５ｄ及び４５ｆとすることもできる。この場合、第２端部４５ｄ及び４５ｆが端子ねじ４１の雄ねじ部４１ｂに接触する場合には、中間の棒部４５ｄ２及び４５ｆ２を雄ねじ部４１ｂを避けるように外側に傾斜させればよい。
【００４１】
また、上記実施形態では、端子装置を押しボタンスイッチに適用した場合について説明したが、これに限らず切換スイッチや、表示灯、電磁接触器、電磁リレーなどの各種電気機器の端子装置として適用することができる。この場合、接点部の有無は問わない。
【符号の説明】
【００４２】
１…操作スイッチ、２…操作部、３…連結用ベース、４…接点部、５Ａ〜５Ｃ…接点ユニット、２１…接点フレーム、２２…接点ケース、２２ａ…挿通孔、２６Ａ，２６Ｂ…端子装置、３１…接続ケーブル、３２…接続端子、４１…端子ねじ、４１ａ…頭部、４１ｂ…雄ねじ部、４１ｃ…皿ばね、４１ｄ…当金、４２…端子板、４２ａ…雌ねじ部、４３…案内保持部、４３ａ，４３ｂ…側壁、４３ｃ…ストッパ片、４４…ばね装着部、４５…捩じりコイルばね、４５ａ，４５ｂ…コイル部、４５ｃ，４５ｅ…第１端部、４５ｄ，４５ｆ…第２端部、４５ｇ…連結部
【図１】
2018160358.tif 000003
【図２】
2018160358.tif 000004
【図３】
2018160358.tif 000005
【図４】
2018160358.tif 000006
【図５】
2018160358.tif 000007
【図６】
2018160358.tif 000008